(57)【要約】【課題】キャッシュカード利用者が、必要な時にキャッシュカードが使えない状況を未然に防ぐ。【解決手段】端末と、カード発行機と、サーバとを備え、端末とカード発行機は店舗に設置されているシステムであって、  端末は、カード発行機に、その内に取り込まれたキャッシュカードから、利用者特定情報を読み出させて取得し、利用者特定情報をサーバに送信する手段と、サーバから受信したカード発行データに基づいて、カード発行機に、新しいキャッシュカードを発行させる手段とを有し、  サーバは、キャッシュカード利用者毎に過去のカード発行データを含むキャッシュカード情報を保管する手段と、端末から受信した利用者特定情報を過去のカード発行データに含むキャッシュカード情報を保管しているかを確かめ、保管している場合、カード発行データを生成して、端末に送信する手段とを有することを特徴とするキャッシュカード店頭即時再発行システム。【選択図】図１
2014211684.tif 000002
【特許請求の範囲】
【請求項１】
端末と、カード発行機と、サーバとを備え、端末とカード発行機は店舗に設置されているシステムであって、
端末は、カード発行機に、その内に取り込まれたキャッシュカードから、利用者特定情報を読み出させて取得し、利用者特定情報をサーバに送信する手段と、サーバから受信したカード発行データに基づいて、カード発行機に、新しいキャッシュカードを発行させる手段とを有し、
サーバは、キャッシュカード利用者毎に過去のカード発行データを含むキャッシュカード情報を保管する手段と、端末から受信した利用者特定情報を過去のカード発行データに含むキャッシュカード情報を保管しているかを確かめ、保管している場合、カード発行データを生成して、端末に送信する手段とを有することを特徴とするキャッシュカード店頭即時再発行システム。
【請求項２】
端末と、カード発行機と、サーバとを備え、端末とカード発行機は店舗に設置されているシステムであって、
端末は、カード発行機に、その内に取り込まれたキャッシュカードから、利用者特定情報を読み出させて取得し、利用者特定情報をサーバに送信する手段と、サーバから受信したカード発行データに基づいて、カード発行機に、新しいキャッシュカードを発行させ、発行が成功した場合、カード発行機に、カード発行機内に取り込まれたキャッシュカードを、カード発行機内で廃棄処分させて、新しいキャッシュカードを、カード発行機外に排出させ、発行が完了したことを示す情報をサーバに送信し、発行が失敗した場合、カード発行機に、カード発行機内に取り込まれたキャッシュカードを、カード発行機外に排出させ、発行が失敗したことを示す情報をサーバに送信する手段とを有し、
サーバは、キャッシュカード利用者毎に過去のカード発行データと発行回数とを含むキャッシュカード情報を保管する手段と、端末から受信した利用者特定情報を過去のカード発行データに含むキャッシュカード情報を保管しているかを確かめ、保管している場合、カード発行データを生成し、端末から受信した利用者特定情報を過去のカード発行データに含むキャッシュカード情報の発行回数をインクリメントし、生成したカード発行データにインクリメントした発行回数を含めて、端末に送信する手段と、端末から発行が完了したことを示す情報を受信した場合、保管しているキャッシュカード情報において、端末から受信した利用者特定情報を含む過去のカード発行データを、生成しインクリメントした発行回数を含めたカード発行データで更新する手段と、端末から発行が失敗したことを示す情報を受信した場合、端末から受信した利用者特定情報を過去のカード発行データに含むキャッシュカード情報の発行回数をデクリメントする手段とを有することを特徴とするキャッシュカード店頭即時再発行システム。
【請求項３】
サーバは、ＡＴＭから受信したＡＴＭがキャッシュカードから読み出した利用者特定情報を過去のカード発行データに含むキャッシュカード情報の発行回数と、ＡＴＭから受信したＡＴＭがキャッシュカードから読み出した発行回数とが一致するか否かを確かめ、一致しない場合、ＡＴＭに取引を行わせず、一致する場合、ＡＴＭに取引を行わせる手段も有することを特徴とする請求項２に記載のキャッシュカード店頭即時再発行システム。
【請求項４】
サーバは、ＡＴＭから受信したＡＴＭがキャッシュカードから読み出したアプリケーション有効期限又は製造日時又はアプリケーション開始日付に基づいて、キャッシュカードが発行されてから所定の日数が経過しているかを判断し、所定の日数がたった場合、ＡＴＭに、キャッシュカードの利用者に対して、キャッシュカードの再発行を促させる手段も有することを特徴とする請求項１〜３のいずれか１項に記載のキャッシュカード店頭即時再発行システム。
【請求項５】
端末と、カード発行機と、サーバとを備え、端末とカード発行機は店舗に設置されているシステムが行う方法であって、
サーバが、キャッシュカード利用者毎に過去のカード発行データを含むキャッシュカード情報を保管する工程と、
端末が、カード発行機に、その内に取り込まれたキャッシュカードから、利用者特定情報を読み出させて取得し、利用者特定情報をサーバに送信する工程と、
サーバが、端末から受信した利用者特定情報を過去のカード発行データに含むキャッシュカード情報を保管しているかを確かめ、保管している場合、カード発行データを生成して、端末に送信する工程と、
端末が、サーバから受信したカード発行データに基づいて、カード発行機に、新しいキャッシュカードを発行させる工程とを含むことを特徴とするキャッシュカード店頭即時再発行方法。
【請求項６】
端末と、カード発行機と、サーバとを備え、端末とカード発行機は店舗に設置されているシステムが行う方法であって、
サーバが、キャッシュカード利用者毎に過去のカード発行データと発行回数とを含むキャッシュカード情報を保管する手段と、
端末が、カード発行機に、その内に取り込まれたキャッシュカードから、利用者特定情報を読み出させて取得し、利用者特定情報をサーバに送信する工程と、
サーバが、端末から受信した利用者特定情報を過去のカード発行データに含むキャッシュカード情報を保管しているかを確かめ、保管している場合、カード発行データを生成し、端末から受信した利用者特定情報を過去のカード発行データに含むキャッシュカード情報の発行回数をインクリメントし、生成したカード発行データにインクリメントした発行回数を含めて、端末に送信する工程と、
端末が、サーバから受信したカード発行データに基づいて、カード発行機に、新しいキャッシュカードを発行させ、発行が成功した場合、カード発行機に、カード発行機内に取り込まれたキャッシュカードを、カード発行機内で廃棄処分させて、新しいキャッシュカードを、カード発行機外に排出させ、発行が完了したことを示す情報をサーバに送信し、発行が失敗した場合、カード発行機に、カード発行機内に取り込まれたキャッシュカードを、カード発行機外に排出させ、発行が失敗したことを示す情報をサーバに送信する工程と、
サーバが、端末から発行が完了したことを示す情報を受信した場合、保管しているキャッシュカード情報において、端末から受信した利用者特定情報を含む過去のカード発行データを、生成しインクリメントした発行回数を含めたカード発行データで更新する工程と、
サーバが、端末から発行が失敗したことを示す情報を受信した場合、端末から受信した利用者特定情報を過去のカード発行データに含むキャッシュカード情報の発行回数をデクリメントする工程とを含むことを特徴とするキャッシュカード店頭即時再発行方法。
【請求項７】
サーバが、ＡＴＭから受信したＡＴＭがキャッシュカードから読み出した利用者特定情報を過去のカード発行データに含むキャッシュカード情報の発行回数と、ＡＴＭから受信したＡＴＭがキャッシュカードから読み出した発行回数とが一致するか否かを確かめ、一致しない場合、ＡＴＭに取引を行わせず、一致する場合、ＡＴＭに取引を行わせる工程も含むことを特徴とする請求項６に記載のキャッシュカード店頭即時再発行方法。
【請求項８】
サーバが、ＡＴＭから受信したＡＴＭがキャッシュカードから読み出したアプリケーション有効期限又は製造日時又はアプリケーション開始日付に基づいて、キャッシュカードが発行されてから所定の日数が経過しているかを判断し、所定の日数がたった場合、ＡＴＭに、キャッシュカードの利用者に対して、キャッシュカードの再発行を促させる工程も含むことを特徴とする請求項５〜７のいずれか１項に記載のキャッシュカード店頭即時再発行方法。
【発明の詳細な説明】
【技術分野】
【０００１】
本発明は、キャッシュカード店頭即時再発行システム及び方法に関する。
【背景技術】
【０００２】
近年のＩＣキャッシュカードにはクレジットカードのように有効期限がなく、カードがぼろぼろになるまで酷使される。そして、キャッシュカード利用者は、キャッシュカードでの取引ができなくなってから銀行の窓口を訪問し、再発行の手続きを行う。一部の銀行では、店頭即時発行サービスを開始しているが、窓口での対応が必要であり、長時間待ったうえで、対応するのが一般的である。
【０００３】
このように従来の技術でも、キャッシュカードを即時発行することは可能である（例えば特許文献１参照）。しかし、通帳など自動発行機で更新できるものに比べ、窓口対応が必要となっていた。
【０００４】
ここで、従来のキャッシュカードの即時再発行を行う処理の流れの例を、図５のフローチャートに従って説明する。
【０００５】
Ｓ（ＳＴＥＰ）１；
銀行の窓口係は、例えば、キャッシュカード利用者が記入した再発行申込書を、公的機関が発行したキャッシュカード利用者本人を証明する書類、届出印などと一緒に受け取って、キャッシュカードの再発行の申込を受ける。
【０００６】
Ｓ（ＳＴＥＰ）２；
銀行の窓口係は、キャッシュカード利用者が記入した再発行申込書、公的機関が発行したキャッシュカード利用者本人を証明する書類、届け印などに基づいて、キャッシュカードの再発行が可能かを審査する。
【０００７】
Ｓ（ＳＴＥＰ）３；
銀行の窓口係は、審査の結果、キャッシュカードの再発行が可能ならば、キャッシュカード利用者が記入した再発行申込書に基づいてデータを端末に入力して発行登録する。
【０００８】
Ｓ（ＳＴＥＰ）４；
端末は、発行登録されたデータを、サーバに送信する。
【０００９】
Ｓ（ＳＴＥＰ）５；
サーバは、端末から、発行登録されたデータを受信する。
【００１０】
Ｓ（ＳＴＥＰ）６；
サーバは、発行登録されたデータに基づいて、会員番号等のカード発行データを生成する。
【００１１】
Ｓ（ＳＴＥＰ）７；
サーバは、発行登録されたデータと、カード発行データとを一緒にして保管する。
【００１２】
Ｓ（ＳＴＥＰ）８；
サーバは、カード発行データを端末に送信する。
【００１３】
Ｓ（ＳＴＥＰ）９；
端末は、サーバから、カード発行データを受信する。
【００１４】
Ｓ（ＳＴＥＰ）１０；
端末は、カード発行機に、カード発行データに基づいて、キャッシュカードを発行させる。
【００１５】
Ｓ（ＳＴＥＰ）１１；
銀行の窓口係は、発行されたキャッシュカードをキャッシュカード利用者に渡すとともに、例えば、公的機関が発行したキャッシュカード利用者本人を証明する書類、届出印などキャッシュカード利用者の所有物をキャッシュカード利用者に返却する。
【００１６】
ところで、キャッシュカードが手元にない状況（新規カードの申込や紛失等）であれば、当然窓口対応が必要であるが、汚損等の理由であれば、通帳の更新と同様に自動で行っても良い筈である。
【００１７】
自動発行されない理由として、通帳との使用方法の違いがある。通帳は、印字エリアが決まっており、印字できなくなった場合に更新が必要となる。それに比べ、キャッシュカードは一定期間使用することにより更新が必要となることがない。磨耗されることはあっても、キャッシュカードは財布等に入っていることが一般的であり、少々の汚損であれキャッシュカード利用者も交換する必要性も感じていなかった。その結果、摩擦等が積み重なることでダメージが蓄積し、取引ができなくなるような問題が発生していた。
【００１８】
カードの自動再発行の実現例としては、交通機関で使用する電子マネーカードがある。この電子マネーカードは、乗車区間や一般／学生といった金額が変わる区分等の公開されている情報を更新するのみであるため、容易に実現が可能であった。
【先行技術文献】
【特許文献】
【００１９】
【特許文献１】特開平８−３１５２２３号公報
【発明の概要】
【発明が解決しようとする課題】
【００２０】
本発明は、このような事情を考慮してなされたもので、キャッシュカード利用者が、必要な時にキャッシュカードが使えない状況を未然に防ぐことを課題とする。
【課題を解決するための手段】
【００２１】
本発明において上記課題を解決するために、まず請求項１の発明では、端末と、カード発行機と、サーバとを備え、端末とカード発行機は店舗に設置されているシステムであって、
端末は、カード発行機に、その内に取り込まれたキャッシュカードから、利用者特定情報を読み出させて取得し、利用者特定情報をサーバに送信する手段と、サーバから受信したカード発行データに基づいて、カード発行機に、新しいキャッシュカードを発行させる手段とを有し、
サーバは、キャッシュカード利用者毎に過去のカード発行データを含むキャッシュカード情報を保管する手段と、端末から受信した利用者特定情報を過去のカード発行データに含むキャッシュカード情報を保管しているかを確かめ、保管している場合、カード発行データを生成して、端末に送信する手段とを有することを特徴とするキャッシュカード店頭即時再発行システムとしたものである。
【００２２】
また請求項２に係る発明では、端末と、カード発行機と、サーバとを備え、端末とカード発行機は店舗に設置されているシステムであって、
端末は、カード発行機に、その内に取り込まれたキャッシュカードから、利用者特定情報を読み出させて取得し、利用者特定情報をサーバに送信する手段と、サーバから受信したカード発行データに基づいて、カード発行機に、新しいキャッシュカードを発行させ、発行が成功した場合、カード発行機に、カード発行機内に取り込まれたキャッシュカードを、カード発行機内で廃棄処分させて、新しいキャッシュカードを、カード発行機外に排出させ、発行が完了したことを示す情報をサーバに送信し、発行が失敗した場合、カード発行機に、カード発行機内に取り込まれたキャッシュカードを、カード発行機外に排出させ、発行が失敗したことを示す情報をサーバに送信する手段とを有し、
サーバは、キャッシュカード利用者毎に過去のカード発行データと発行回数とを含むキャッシュカード情報を保管する手段と、端末から受信した利用者特定情報を過去のカード発行データに含むキャッシュカード情報を保管しているかを確かめ、保管している場合、カード発行データを生成し、端末から受信した利用者特定情報を過去のカード発行データに含むキャッシュカード情報の発行回数をインクリメントし、生成したカード発行データにインクリメントした発行回数を含めて、端末に送信する手段と、端末から発行が完了したことを示す情報を受信した場合、保管しているキャッシュカード情報において、端末から受信した利用者特定情報を含む過去のカード発行データを、生成しインクリメントした発行回数を含めたカード発行データで更新する手段と、端末から発行が失敗したことを示す情報を受信した場合、端末から受信した利用者特定情報を過去のカード発行データに含むキャッシュカード情報の発行回数をデクリメントする手段とを有することを特徴とするキャッシュカード店頭即時再発行システムとしたものである。
【００２３】
また請求項３に係る発明では、サーバは、ＡＴＭから受信したＡＴＭがキャッシュカードから読み出した利用者特定情報を過去のカード発行データに含むキャッシュカード情報の発行回数と、ＡＴＭから受信したＡＴＭがキャッシュカードから読み出した発行回数とが一致するか否かを確かめ、一致しない場合、ＡＴＭに取引を行わせず、一致する場合、ＡＴＭに取引を行わせる手段も有することを特徴とする請求項２に記載のキャッシュカード店頭即時再発行システムとしたものである。
【００２４】
また請求項４に係る発明では、サーバは、ＡＴＭから受信したＡＴＭがキャッシュカードから読み出したアプリケーション有効期限又は製造日時又はアプリケーション開始日付に基づいて、キャッシュカードが発行されてから所定の日数が経過しているかを判断し、所定の日数がたった場合、ＡＴＭに、キャッシュカードの利用者に対して、キャッシュカードの再発行を促させる手段も有することを特徴とする請求項１〜３のいずれか１項に記載のキャッシュカード店頭即時再発行システムとしたものである。
【００２５】
また請求項５の発明では、端末と、カード発行機と、サーバとを備え、端末とカード発行機は店舗に設置されているシステムが行う方法であって、
サーバが、キャッシュカード利用者毎に過去のカード発行データを含むキャッシュカード情報を保管する工程と、
端末が、カード発行機に、その内に取り込まれたキャッシュカードから、利用者特定情報を読み出させて取得し、利用者特定情報をサーバに送信する工程と、
サーバが、端末から受信した利用者特定情報を過去のカード発行データに含むキャッシュカード情報を保管しているかを確かめ、保管している場合、カード発行データを生成して、端末に送信する工程と、
端末が、サーバから受信したカード発行データに基づいて、カード発行機に、新しいキャッシュカードを発行させる工程とを含むことを特徴とするキャッシュカード店頭即時再発行方法としたものである。
【００２６】
また請求項６の発明では、端末と、カード発行機と、サーバとを備え、端末とカード発行機は店舗に設置されているシステムが行う方法であって、
サーバが、キャッシュカード利用者毎に過去のカード発行データと発行回数とを含むキャッシュカード情報を保管する手段と、
端末が、カード発行機に、その内に取り込まれたキャッシュカードから、利用者特定情報を読み出させて取得し、利用者特定情報をサーバに送信する工程と、
サーバが、端末から受信した利用者特定情報を過去のカード発行データに含むキャッシュカード情報を保管しているかを確かめ、保管している場合、カード発行データを生成し、端末から受信した利用者特定情報を過去のカード発行データに含むキャッシュカード情報の発行回数をインクリメントし、生成したカード発行データにインクリメントした発行回数を含めて、端末に送信する工程と、
端末が、サーバから受信したカード発行データに基づいて、カード発行機に、新しいキャッシュカードを発行させ、発行が成功した場合、カード発行機に、カード発行機内に取り込まれたキャッシュカードを、カード発行機内で廃棄処分させて、新しいキャッシュカードを、カード発行機外に排出させ、発行が完了したことを示す情報をサーバに送信し、発行が失敗した場合、カード発行機に、カード発行機内に取り込まれたキャッシュカードを、カード発行機外に排出させ、発行が失敗したことを示す情報をサーバに送信する工程と、
サーバが、端末から発行が完了したことを示す情報を受信した場合、保管しているキャッシュカード情報において、端末から受信した利用者特定情報を含む過去のカード発行データを、生成しインクリメントした発行回数を含めたカード発行データで更新する工程と、
サーバが、端末から発行が失敗したことを示す情報を受信した場合、端末から受信した利用者特定情報を過去のカード発行データに含むキャッシュカード情報の発行回数をデクリメントする工程とを含むことを特徴とするキャッシュカード店頭即時再発行方法としたものである。
【００２７】
また請求項７の発明では、サーバが、ＡＴＭから受信したＡＴＭがキャッシュカードから読み出した利用者特定情報を過去のカード発行データに含むキャッシュカード情報の発行回数と、ＡＴＭから受信したＡＴＭがキャッシュカードから読み出した発行回数とが一致するか否かを確かめ、一致しない場合、ＡＴＭに取引を行わせず、一致する場合、ＡＴＭに取引を行わせる工程も含むことを特徴とする請求項６に記載のキャッシュカード店頭即時再発行方法としたものである。
【００２８】
また請求項８の発明では、サーバが、ＡＴＭから受信したＡＴＭがキャッシュカードから読み出したアプリケーション有効期限又は製造日時又はアプリケーション開始日付に基づいて、キャッシュカードが発行されてから所定の日数が経過しているかを判断し、所定の日数がたった場合、ＡＴＭに、キャッシュカードの利用者に対して、キャッシュカードの再発行を促させる工程も含むことを特徴とする請求項５〜７のいずれか１項に記載のキャッシュカード店頭即時再発行方法としたものである。
【発明の効果】
【００２９】
請求項１及び請求項５に係る発明は、過去のカード発行データを保管して、キャッシュカードから読み取った利用者特定情報が、保管している過去のカード発行データに含まれる場合のみ、キャッシュカードを発行するので、キャッシュカード利用者は、利用者特定情報を読み取り可能なキャッシュカードを所持していれば、店頭で、窓口を介さずに、即時、キャッシュカードを再発行して貰うことができるという効果がある。
【００３０】
請求項２及び請求項６に係る発明は、発行回数と、この発行回数を含む過去のカード発
行データとを保管して、キャッシュカードから読み取った利用者特定情報が、保管している過去のカード発行データに含まれる場合のみ、最新のキャッシュカードとして、インクリメントされた発行回数を記憶したものを発行し、古いキャッシュカードを廃棄処分し、発行回数を含む過去のカード発行データを、インクリメントした発行回数を含むカード発行データで更新するので、キャッシュカード利用者は、利用者特定情報を読み取り可能な最新のキャッシュカードを所持していれば、店頭で、窓口を介さずに、即時、最新のキャッシュカードを再発行して貰うことができ、最新のキャッシュカードのみを所持していることが保証されるという効果がある。
【００３１】
請求項３及び請求項７に係る発明は、キャッシュカード利用者は、最新のキャッシュカードを所持する場合のみ、ＡＴＭで取引が行えるという効果がある。
【００３２】
請求項４及び請求項８に係る発明は、キャッシュカードを発行したから所定の日数が経過した場合、キャッシュカードの利用者に、キャッシュカードの再発行を促すことができるという効果がある。
【００３３】
以上、本発明は、キャッシュカード利用者が、必要な時にキャッシュカードが使えない状況を未然に防ぐことができるという効果がある。
【図面の簡単な説明】
【００３４】
【図１】本発明のキャッシュカード店頭即時再発行システムのハードウェア構成例を示す図。
【図２】本発明のキャッシュカード店頭即時再発行システムが行うキャッシュカード店頭即時再発行処理の流れの例の前の部分を示すフローチャート。
【図３】本発明のキャッシュカード店頭即時再発行システムが行うキャッシュカード店頭即時再発行処理の流れの例の後の部分を示すフローチャート。
【図４】キャッシュカード利用者がＡＴＭで銀行と取引をする際に、ＡＴＭと、本発明のキャッシュカード店頭即時再発行システムのサーバとでなされる処理の流れの例を示すフローチャート。
【図５】従来のキャッシュカードの即時再発行を行う処理の流れの例を示すフローチャート。
【発明を実施するための形態】
【００３５】
以下に、本発明の一実施形態を説明する。
【００３６】
本発明のキャッシュカード店頭即時再発行システムにより再発行されるキャッシュカードには、ＩＣキャッシュカードと磁気キャッシュカードとがある。
【００３７】
ＩＣキャッシュカードは、例えば、Ｔａｇが５ＡのＶａｌｕｅであるＰＡＮ（Ｐｒｉｍａｒｙ  Ａｃｃｏｕｎｔ  Ｎｕｍｂｅｒ）、Ｔａｇが５Ｆ６０のＶａｌｕｅである磁気ストライプ情報、Ｔａｇが５Ｆ２４のＶａｌｕｅであるアプリケーション有効期限やＴａｇが５Ｆ２５のＶａｌｕｅであるアプリケーション開始日付等の期限情報、発行回数、製造日時が、エンコードされて、ＩＣチップ又は磁気ストライプのいずれかに、或いは双方に記憶されている。
【００３８】
磁気キャッシュカードは、磁気ストライプに磁気ストライプ情報が記憶されている。
【００３９】
ＰＡＮ（Ｐｒｉｍａｒｙ  Ａｃｃｏｕｎｔ  Ｎｕｍｂｅｒ）は、キャッシュカード利用者を特定する情報であって、主口座番号とも呼ばれる。
【００４０】
アプリケーション有効期限は、ＩＣキャッシュカードのＩＣチップに搭載されているアプリケーションプログラムの有効期限である。
【００４１】
アプリケーション開始日付は、ＩＣキャッシュカードのＩＣチップに搭載されているアプリケーションプログラムの開始日である。
【００４２】
発行回数は、これまでにキャッシュカードを発行した回数である。
【００４３】
製造日時は、キャッシュカードを製造した日時である。
【００４４】
磁気ストライプ情報は、キャッシュカードの磁気ストライプに記憶されている情報であって、ＰＡＮ、発行回数、有効期限を含む。
【００４５】
さらに、キャッシュカードがクレジットカードを兼ねている場合は、磁気ストライプ情報は、この会員番号も含み、ＩＣキャッシュカードの場合には、ＩＣチップに、この会員番号も記憶されている。
【００４６】
本発明のキャッシュカード店頭即時再発行システムは、図１に示すように、端末と、カード発行機と、サーバとを備え、端末とカード発行機は店舗に設置され、カード発行機は端末に接続され、端末とサーバとは、通信回線に接続されているものである。また、この通信回線には、店舗に設置されているＡＴＭ（現金自動預払機）も接続されている。
【００４７】
サーバは、銀行ホスト端末と呼ばれるコンピュータであっても良い。
【００４８】
サーバは、キャッシュカード利用者毎にキャッシュカード情報を保管するデータベースを有する。
【００４９】
キャッシュカード情報は、過去のカード発行データ、発行回数を含む。
【００５０】
カード発行データは、キャッシュカードを発行するために必要なデータであって、過去のカード発行データは、過去に発行したキャッシュカードを発行するために必要なデータである。
【００５１】
カード発行データは、キャッシュカードがＩＣキャッシュカードの場合、例えば、Ｔａｇが５ＡのＶａｌｕｅであるＰＡＮ（Ｐｒｉｍａｒｙ  Ａｃｃｏｕｎｔ  Ｎｕｍｂｅｒ）、Ｔａｇが５Ｆ６０のＶａｌｕｅである磁気ストライプ情報、Ｔａｇが５Ｆ２４のＶａｌｕｅであるアプリケーション有効期限やＴａｇが５Ｆ２５のＶａｌｕｅであるアプリケーション開始日付等の期限情報、発行回数、製造日時を含み、キャッシュカードが磁気キャッシュカードの場合、磁気ストライプ情報を含む。
【００５２】
さらに、キャッシュカードがクレジットカードを兼ねている場合は、カード発行データは、会員番号も含む。
【００５３】
以下に、本発明のキャッシュカード店頭即時再発行システムが行うキャッシュカード店頭即時再発行処理の流れの例を、図２及び図３のフローチャートに従って説明する。
【００５４】
Ｓ（ＳＴＥＰ）１；
カード発行機は、キャッシュカードがカード発行機外から挿入されると、このキャッシュカードをカード発行機内に取り込む。
【００５５】
Ｓ（ＳＴＥＰ）２；
端末は、カード発行機に、その内に取り込まれたキャッシュカードから、キャッシュカード利用者を特定する情報（以後、利用者特定情報とも云う）を読み出させて取得する。例えば、ＩＣキャッシュカードの場合、ＰＡＮ、磁気ストライプ情報、必要に応じてアプリケーション有効期限等の期限情報を取得し、磁気キャッシュカードの場合、磁気ストライプ情報を取得する。
【００５６】
Ｓ（ＳＴＥＰ）３；
端末は、利用者特定情報を、通信回線を介して、サーバに送信する。
【００５７】
Ｓ（ＳＴＥＰ）４；
サーバは、端末から、通信回線を介して、利用者特定情報を受信する。
【００５８】
Ｓ（ＳＴＥＰ）５；
サーバは、データベースを検索して、端末から受信した利用者特定情報を過去のカード発行データに含むキャッシュカード情報が、保管されているかを確かめ、
保管されている場合、キャッシュカードの発行が許可されているとして、ＳＴＥＰ７に進み、
保管されていない場合、キャッシュカードの発行が許可されていないとして、ＥＮＤに進む。
【００５９】
Ｓ（ＳＴＥＰ）６；
サーバは、端末から受信した利用者特定情報を含む過去のカード発行データに基づいて、発行回数以外の会員番号等のカード発行データを生成する。
【００６０】
Ｓ（ＳＴＥＰ）７；
サーバは、データベースにおいて、端末から受信した利用者特定情報を過去のカード発行データに含むキャッシュカード情報の発行回数を、インクリメントする。
【００６１】
Ｓ（ＳＴＥＰ）８；
サーバは、生成したカード発行データに、インクリメントした発行回数を含める。
【００６２】
Ｓ（ＳＴＥＰ）９；
サーバは、生成しインクリメントした発行回数を含めたカード発行データを、通信回線を介して、端末に送信する。
【００６３】
Ｓ（ＳＴＥＰ）１０；
端末は、サーバから、通信回線を介して、カード発行データを受信する。
【００６４】
Ｓ（ＳＴＥＰ）１１；
端末は、カード発行機に、カード発行データに基づいて、新しいキャッシュカードを発行させ、
発行が成功した場合、ＳＴＥＰ１２に進み、
発行が失敗した場合、ＳＴＥＰ１７に進む。
【００６５】
Ｓ（ＳＴＥＰ）１２；
端末は、カード発行機に、カード発行機内に取り込まれたキャッシュカードを、カード
発行機内で細断する等して廃棄処分させる。
【００６６】
Ｓ（ＳＴＥＰ）１３；
端末は、カード発行機に、新しいキャッシュカードを、カード発行機外に排出させる。
【００６７】
Ｓ（ＳＴＥＰ）１４；
端末は、発行が完了したことを示す情報を、通信回線を介して、サーバに送信する。
【００６８】
Ｓ（ＳＴＥＰ）１５；
サーバは、端末から、通信回線を介して、発行が完了したことを示す情報を受信する。
【００６９】
Ｓ（ＳＴＥＰ）１６；
サーバは、データベースに保管されているキャッシュカード情報において、端末から受信した利用者特定情報を含む過去のカード発行データを、生成しインクリメントした発行回数を含めたカード発行データで更新し、ＥＮＤに進む。
【００７０】
Ｓ（ＳＴＥＰ）１７；
端末は、カード発行機に、カード発行機内に取り込まれたキャッシュカードを、カード発行機外に排出させる。
【００７１】
Ｓ（ＳＴＥＰ）１８；
端末は、発行が失敗したことを示す情報を、通信回線を介して、サーバに送信する。
【００７２】
Ｓ（ＳＴＥＰ）１９；
サーバは、端末から、通信回線を介して、発行が失敗したことを示す情報を受信する。
【００７３】
Ｓ（ＳＴＥＰ）２０；
サーバは、データベースにおいて、端末から受信した利用者特定情報を過去のカード発行データに含むキャッシュカード情報の発行回数を、デクリメントする。
【００７４】
以下に、キャッシュカード利用者がＡＴＭで銀行と取引をする際に、ＡＴＭと、本発明のキャッシュカード店頭即時再発行システムのサーバとでなされる処理の流れの例を、図４のフローチャートに従って説明する。
【００７５】
Ｓ（ＳＴＥＰ）１；
ＡＴＭは、キャッシュカードから、利用者特定情報と発行回数とを読み出す。
【００７６】
Ｓ（ＳＴＥＰ）２；
ＡＴＭは、通信回線を介して、利用者特定情報と発行回数とをサーバに送信する。
【００７７】
Ｓ（ＳＴＥＰ）３；
サーバは、ＡＴＭから、通信回線を介して、利用者特定情報と発行回数とを受信する。
【００７８】
Ｓ（ＳＴＥＰ）４；
サーバは、ＡＴＭから受信した利用者特定情報を過去のカード発行データに含むキャッシュカード情報の発行回数をデータベースから検索して、この発行回数と、ＡＴＭから受信した発行回数とが一致するか否かを確かめ、
一致しない場合、ＳＴＥＰ５に進み、
一致する場合、ＳＴＥＰ    ６に進む。
【００７９】
Ｓ（ＳＴＥＰ）５；
サーバは、通信回線を介して、最新のキャッシュカードではないことを示す情報をＡＴＭに送信する。
【００８０】
Ｓ（ＳＴＥＰ）６；
サーバは、通信回線を介して、最新のキャッシュカードであることを示す情報をＡＴＭに送信する。
【００８１】
Ｓ（ＳＴＥＰ）６；
ＡＴＭは、サーバから、通信回線を介して、最新のキャッシュカードではないことを示す情報を受信した場合、ＳＴＥＰ７に進み、
最新のキャッシュカードであることを示す情報を受信した場合、ＳＴＥＰ８に進む。
【００８２】
Ｓ（ＳＴＥＰ）７；
ＡＴＭは、最新のキャッシュカードではないので、取引不能であることを表示して、ＥＮＤに進む。
【００８３】
Ｓ（ＳＴＥＰ）８；
ＡＴＭは、取引に係る処理を行う。
【００８４】
Ｓ（ＳＴＥＰ）９；
ＡＴＭは、キャッシュカードから、アプリケーション有効期限又は製造日時又はアプリケーション開始日付を読み出す。
【００８５】
Ｓ（ＳＴＥＰ）１０；
ＡＴＭは，通信回線を介して、アプリケーション有効期限又は製造日時又はアプリケーション開始日付をサーバに送信する。
【００８６】
Ｓ（ＳＴＥＰ）１１；
サーバは、ＡＴＭから、通信回線を介して、アプリケーション有効期限又は製造日時又はアプリケーション開始日付を受信する。
【００８７】
Ｓ（ＳＴＥＰ）１２；
サーバは、ＡＴＭから受信したアプリケーション有効期限又は製造日時に基づいて、キャッシュカードが発行されてから所定の日数が経過しているかを判断し、
所定の日数がたった場合、ＳＴＥＰ１３に進み、
所定の日数がたっていない場合、ＳＴＥＰ１４に進む。
【００８８】
Ｓ（ＳＴＥＰ）１３；
サーバは、通信回線を介して、キャッシュカードが発行されてから所定の日数が経過したことを示す情報をＡＴＭに送信する。
【００８９】
Ｓ（ＳＴＥＰ）１４；
サーバは、通信回線を介して、キャッシュカードが発行されてから所定の日数が経過していないことを示す情報をＡＴＭに送信する。
【００９０】
Ｓ（ＳＴＥＰ）１５；
ＡＴＭは、サーバから、通信回線を介して、キャッシュカードが発行されてから所定の日数が経過したことを示す情報を受信した場合、ＳＴＥＰ１６に進み、
キャッシュカードが発行されてから所定の日数が経過していないことを示す情報を受信
した場合、ＥＮＤに進む。
【００９１】
Ｓ（ＳＴＥＰ）１６；
ＡＴＭは、キャッシュカードの再発行を行うことを促す表示を行う。
【００９２】
尚、ＡＴＭが、本発明のキャッシュカード店頭即時再発行システムの端末とカード発行機とを兼ねても良く、その場合、引き続いて、キャッシュカードの再発行を行うことを了承する入力がなされた後に、上述のキャッシュカード店頭即時再発行処理を行ってキャッシュカードを再発行しても良い。
【図１】
2014211684.tif 000003
【図２】
2014211684.tif 000004
【図３】
2014211684.tif 000005
【図４】
2014211684.tif 000006
【図５】
2014211684.tif 000007